(57)【要約】【課題】簡易な構成により、明暗のムラの発生を抑制して美観の低下防止を図ることができる連結部材及び鏡アセンブリを提供する。【解決手段】連結部材１０は、鏡２の端部２Ａに設けられて鏡２を所定の取付部に連結する部材である。連結部材１０は、鏡２の前面を覆う前壁２０と、鏡２の後面を覆うとともに、前壁２０との間に鏡２の端部２Ａが配される空間Ｓが形成された後壁３０と、を備えている。前壁２０は、空間Ｓに鏡２の端部２Ａが配された状態で鏡２の前面側の外縁部（傾斜面部３Ａ）が当接する当接部２３を有しており、当接部２３は、前壁２０の鏡２の中心側に対応する一方の端部２０Ａから鏡２の外縁側に対応する他方の端部２０Ｂ側に離間して形成されている。【選択図】図７
2019141273.tif 000002
【特許請求の範囲】
【請求項１】
鏡の端部に設けられて前記鏡を所定の取付部に連結する連結部材であって、
前記鏡の前面を覆う前壁と、
前記鏡の後面を覆うとともに、前記前壁との間に前記鏡の端部が配される空間が形成された後壁と、
を備えており、
前記前壁は、前記空間に前記鏡の端部が配された状態で前記鏡の前面側の外縁部が当接する当接部を有しており、
前記当接部は、前記前壁の前記鏡の中心側に対応する一方の端部から前記鏡の外縁側に対応する他方の端部側に離間して形成されていることを特徴とする連結部材。
【請求項２】
前記当接部は、前記他方の端部側に向かって後方に傾斜又は湾曲して形成されていることを特徴とする請求項１記載の連結部材。
【請求項３】
前記当接部は、前記前壁の後面から後方側に突出する凸状に形成されていることを特徴とする請求項１記載の連結部材。
【請求項４】
鏡と、前記鏡の端部に設けられて所定の取付部に前記鏡を連結する連結部材とを備えた鏡アセンブリであって、
前記連結部材は、前記鏡の前面を覆う前壁、及び前記鏡の後面を覆うとともに前記前壁との間に前記鏡の端部が配される空間が形成された後壁を有しており、
前記前壁は、前記鏡の前面側の外縁部が当接する当接部を具備しており、
前記当接部、又は前記鏡の前面側の外縁部の少なくとも一方は、前記前壁の前記鏡の中心側に対応する一方の端部から前記鏡の外縁側に対応する他方の端部側に向かって、後方に傾斜又は湾曲して形成されていることを特徴とする鏡アセンブリ。
【発明の詳細な説明】
【技術分野】
【０００１】
本発明は連結部材、及び鏡アセンブリに関する。
【背景技術】
【０００２】
特許文献１は従来の連結部材を開示している。この連結部材は、鏡アセンブリにおいて鏡の端部に設けられる。連結部材は可撓性を有している。連結部材は、前壁部、後壁部、及び締め付け部材を備えている。連結部材は、締め付け部材を締め付けることにより後壁部に撓みを生じさせて前壁部側に近接させる。そして、前壁部の後面と、後壁部の前面と、を鏡に当接させて鏡を挟持する。
【先行技術文献】
【特許文献】
【０００３】
【特許文献１】特開２０１４−２０９９９１号公報
【発明の概要】
【発明が解決しようとする課題】
【０００４】
特許文献１のように鏡の前面が前壁の後面に当接している場合、鏡と前壁の境界付近において、光の屈折による明暗のムラが生じてしまう場合があった。そして、このようなムラが生じた鏡は、表面に汚れが付着しているように見えて見栄えが悪くなってしまう。
【０００５】
本発明は、上記従来の実情に鑑みてなされたものであって、簡易な構成により、明暗のムラの発生を抑制して美観の低下防止を図ることができる連結部材及び鏡アセンブリを提供することを解決すべき課題としている。
【課題を解決するための手段】
【０００６】
本発明の連結部材は、
鏡の端部に設けられて前記鏡を所定の取付部に連結する連結部材であって、
前記鏡の前面を覆う前壁と、
前記鏡の後面を覆うとともに、前記前壁との間に前記鏡の端部が配される空間が形成された後壁と、
を備えており、
前記前壁は、前記空間に前記鏡の端部が配された状態で前記鏡の前面側の外縁部が当接する当接部を有しており、
前記当接部は、前記前壁の前記鏡の中心側に対応する一方の端部から前記鏡の外縁側に対応する他方の端部側に離間して形成されていることを特徴とする。
【０００７】
本発明の連結部材は、鏡の端部が前壁と後壁の間の空間に配された状態において、鏡の前面側の外縁部に当接する当接部が設けられている。このため、連結部材が鏡の端部に配されたときには、前壁の後部では、当接部のみで鏡と接触する構成とすることができる。そして、この当接部は、前壁の鏡の中心側に対応する一方の端部から鏡の外縁側に対応する他方の端部側に離間した位置に形成されている。このため、鏡との境界となる前壁の一方の端部側では、鏡に接触しないことから明暗のムラが発生せず、また、鏡との接触部位である当接部が一方の端部から他方の端部側に離間した位置に形成されていることから、たとえ当接部において明暗のムラが発生したとしても視界に入り難く、美観を保つことができる。
【０００８】
また、本発明の鏡アセンブリは、
鏡と、前記鏡の端部に設けられて所定の取付部に前記鏡を連結する連結部材とを備えた鏡アセンブリであって、
前記連結部材は、前記鏡の前面を覆う前壁、及び前記鏡の後面を覆うとともに前記前壁との間に前記鏡の端部が配される空間が形成された後壁を有しており、
前記前壁は、前記鏡の前面側の外縁部が当接する当接部を具備しており、
前記当接部、又は前記鏡の前面側の外縁部の少なくとも一方は、前記前壁の前記鏡の中心側に対応する一方の端部から前記鏡の外縁側に対応する他方の端部側に向かって、後方に傾斜又は湾曲して形成されていることを特徴とする。
【０００９】
本発明の鏡アセンブリは、連結部材には、鏡の前面側の外縁部に当接する当接部が設けられている。このため、前壁の後面では、当接部のみで鏡と接触する構成とすることができる。そして、この当接部は、前壁の鏡の中心側に対応する一方の端部から鏡の外縁側に対応する他方の端部側に離間した位置に形成されている。このため、鏡との境界となる前壁の一方の端部では、鏡に接触しないことから明暗のムラが発生せず、また、鏡との接触部位である当接部が一方の端部から離間した位置に形成されていることから、たとえ当接部において明暗のムラが発生したとしても視界には入り難く、美観を保つことができる。
また、鏡と連結部材との接触部位となる鏡の前面側の外縁部、及び当接部の少なくとも一方が鏡の中心から外縁側に向かって後方に傾斜して形成されているので、鏡と連結部材との間には、相対的に鏡を後方に移動させる方向の力が作用する。これにより、前壁の後面と鏡の前面との間に隙間を容易且つ確実に形成することができる。
【００１０】
したがって、本発明の連結部材及び鏡アセンブリは、簡易な構成により、明暗のムラの発生を抑制して美観の低下防止を図ることができる。
【００１１】
なお、上記「鏡の中心側」及び「鏡の外縁側」とは、鏡の鏡面を正面視した場合の鏡の中心側及び外縁側を意図している。したがって、例えば、鏡面が鉛直面に平行に配された鏡の下端部では、鏡の中心側及び外縁側は夫々上側及び下側となり、左側方の端部では、鏡の中心側及び外縁側は夫々右側及び左側となる。
【図面の簡単な説明】
【００１２】
【図１】実施例１に係る鏡アセンブリを示す図であり、（Ａ）斜視図、（Ｂ）分解斜視図を夫々示す。
【図２】実施例１に係る鏡及び連結部材を示す断面図である。
【図３】実施例１に係る連結部材を示す斜視図である。
【図４】実施例１に係る連結部材を示す背面図である。
【図５】図４のＶ−Ｖ線断面図である。
【図６】図４のＶＩ−ＶＩ線断面図である。
【図７】実施例１の作用を説明するための図（その１）である。
【図８】図７の要部拡大断面図である。
【図９】実施例１の作用を説明するための図（その２）である。
【図１０】他の実施形態に係る連結部材及び鏡アセンブリを説明するための図（その１）である。
【図１１】他の実施形態に係る連結部材及び鏡アセンブリを説明するための図（その２）である。
【図１２】他の実施形態に係る連結部材及び鏡アセンブリを説明するための図（その３）である。
【図１３】他の実施形態に係る連結部材及び鏡アセンブリを説明するための図（その４）である。
【図１４】他の実施形態に係る連結部材及び鏡アセンブリを説明するための図（その５）である。
【発明を実施するための形態】
【００１３】
本発明における好ましい実施の形態を説明する。
【００１４】
本発明の連結部材において、前記当接部は、前記他方の端部側に向かって後方に傾斜又は湾曲して形成され得る。
この場合、連結部材には、相対的に鏡を後方に移動させる方向の力が作用する。これにより、前壁の後面と鏡の前面との間に隙間を容易且つ確実に形成することができる。
【００１５】
本発明の連結部材において、前記当接部は、前記前壁の後面から後方側に突出する凸状に形成され得る。
この場合、当接部によって鏡を後壁側に確実に配置して前壁の後面と鏡の前面との間に確実に隙間を形成することができる。
【００１６】
次に、本発明の連結部材及び鏡アセンブリを具体化した実施例１について、図面を参照しつつ説明する。なお、以下の説明では、上下、左右の方向については、図１及び図３に示す向きをそのまま上下、左右方向と定義し、前後の方向については、図２及び図５〜図１３に示す左方を前方、右方を後方と夫々定義して説明する。
【００１７】
＜実施例１＞
実施例１の鏡アセンブリ１は、洗面所等に配置される収納棚（図示せず）の前面扉として用いられる。すなわち、鏡アセンブリ１は、所定の取付部としての収納棚に取り付けられる。鏡アセンブリ１は、図１（Ａ）及び（Ｂ）に示すように、鏡２と、この鏡２の上下の端部２Ａ，２Ｂに夫々設けられた連結部材１０と、を備えている。
【００１８】
図１及び図２に示すように、鏡２は、鏡本体３及び裏板４を備えている。鏡本体３は、上下方向を長手方向とする正面視略矩形状をなしている。鏡本体３は、前後方向を厚さ方向とする板状に形成されている。鏡本体３の前面側の外縁部にはＣ面取りされて形成された傾斜面部３Ａが設けられている。
【００１９】
裏板４は、鏡本体３の厚さよりも薄い樹脂板からなる。裏板４は、両面テープ等により、鏡本体３の背面に接着固定されている。裏板４は、本体部４Ａ及び延出部４Ｂを具備している。本体部４Ａは、鏡本体３よりも僅かに小さい正面視略矩形状をなしている。延出部４Ｂは、本体部４Ａに一体的に形成されるとともに、本体部４Ａの上下端から鏡本体３の外縁よりも外側方向に延出して形成されている。延出部４Ｂは、鏡２の１つの端部２Ａ，２Ｂあたり２つ形成されており、本体部４Ａの中央部の左右において上下方向に延出する形態で設けられている。また、延出部４Ｂには開口部４Ｃが形成されている。開口部４Ｃは、延出部４Ｂを前後方向に貫通する形態で形成されている。本実施例では、開口部４Ｃは、左右方向を長手方向とする長穴として形成されており、各延出部４Ｂの夫々に設けられている。開口部４Ｃには、後述する貫通部材４０が挿通される。
【００２０】
連結部材１０は、鏡２と収納棚とを扉用ヒンジを介して連結する。図１（Ａ）及び（Ｂ）に示すように、連結部材１０は、鏡２の上下の端部２Ａ，２Ｂに対称に設けられている。連結部材１０は、鏡２の上下の端部２Ａ，２Ｂの延伸方向である左右方向を長手方向とする長尺状に形成されている。上下の連結部材１０は、上下に対称に形成されている以外は略同様の構成であり、以下の説明では鏡２に下端部２Ａに設けられる連結部材１０を用いて説明する。
【００２１】
図３〜図５に示すように、連結部材１０は、前壁２０及び後壁３０を備えている。連結部材１０は、前壁２０及び後壁３０の間の空間Ｓに鏡２の端部２Ａを配して設けられる。前壁２０は鏡２の端部２Ａの前面を覆う。前壁２０は、左右方向の長さが鏡２の左右幅と略同等に形成されている。前壁２０は、前覆い部２１、縁覆い部２２及び当接部２３を有している。前覆い部２１は、左右方向を長手方向とする正面視略矩形状の板状に形成されている。前覆い部２１の前面は、上下方向の中心部が前方に突出する形態で上下に緩やかに湾曲した湾曲面をなしている。前覆い部２１の左右方向両端部は後方に向かって湾曲する形態でＲ面取りされている。前覆い部２１は、後面の上部側の覆い面２１Ａで鏡２の前面を覆う。
【００２２】
縁覆い部２２は、前覆い部２１の下部側の後面から後方に延びる形態で前覆い部２１に一体的に形成されている。縁覆い部２２はその上面で鏡２の外縁を覆う。図５及び図６に示すように、縁覆い部２２は、覆い面２２Ａが鏡２の鏡本体３の外縁に対向した状態で鏡２の外縁を覆う。覆い面２２Ａは、前覆い部２１の上端よりも下方に位置する形態で設けられている。縁覆い部２２の前部には溝２２Ｂが形成されている。溝２２Ｂは、鏡２の前面から縁覆い部２２に進入する水等を排出する目的で形成されており、その底壁には下方に貫通する排出用のスリット２２Ｃが形成されている。また、縁覆い部２２の後部には隙間Ｇが形成されている。この隙間Ｇには延出部４Ｂが挿入される。隙間Ｇの前後方向の大きさは、延出部４Ｂの厚さよりも大きく形成されている。縁覆い部２２の上面は、覆い面２２Ａ、溝２２Ｂ、及び隙間Ｇにより、前後方向において中央部が空間Ｓに向かって突出する段差状を呈している。
【００２３】
図５及び図６に示すように、当接部２３は、前覆い部２１の後面であって、縁覆い部２２の上側に配されている。当接部２３は、前壁２０の鏡２の中心側に対応する端部２０Ａから、鏡２の外縁側に対応する端部２０Ｂ側に離間して形成されている。具体的には、当接部２３は、前壁２０の上側の端部２０Ａから下側の端部２０Ｂ側に離間して形成されている。本実施例の場合、当接部２３は、前壁２０の後面である前覆い部２１の覆い面２１Ａから後方側に突出する凸状に形成されている。また、当接部２３の前壁２０の上端（端部２０Ａ）からの距離Ｄは約３ｍｍとしている。当接部２３は、前覆い部２１の左右方向の長さの略全体に亘って左右方向に延びる長尺状に形成されている。当接部２３は鏡２の前面側の外縁部である傾斜面部３Ａに当接する。当接部２３は、その上端に、下方に向かって後方に傾斜する形態の当接面２３Ａが形成されている。当接部２３は、この当接面２３Ａにおいて鏡本体３の傾斜面部３Ａに当接する。
【００２４】
後壁３０は鏡２の端部２Ａの後面を覆う。後壁３０は、前壁２０と同様に、左右方向の長さが鏡２の左右幅と略同等に形成されている。図５及び図６に示すように、後壁３０は後覆い部３０Ａ及び下面部３０Ｂを有している。後覆い部３０Ａは左右方向を長手方向とする板状に形成されている。後覆い部３０Ａは、その上端が前壁２０の上側の端部２０Ａよりも上方まで延びて形成されている。また、後覆い部３０Ａの左右両端部の下部は切り欠かれて形成されている。また、上述の隙間Ｇは、連結部材１０の左右方向の中央部であって、後覆い部３０Ａの前方に形成されている。
【００２５】
また、上述のように、前壁２０と後壁３０との間には空間Ｓが形成されているが、この空間Ｓにおいて、後覆い部３０Ａの前面と前覆い部２１の覆い面２１Ａとの間の距離は、鏡２の厚さ、すなわち、鏡本体３と、両面テープにより鏡本体３の裏面に接着固定された裏板４とを合わせた全体の厚さよりも僅かに大きく設定されている。また、後覆い部３０Ａの前面と当接部２３の後端面との間の距離は、鏡２の厚さよりも小さく設定されている。これにより、延出部４Ｂを除く鏡２の他の部位は、当接部２３の後端面と後覆い部３０Ａの前面との間には進入不能であり、当接部２３の上方に位置する。
【００２６】
下面部３０Ｂは、後覆い部３０Ａの下端部に沿って設けられている。下面部３０Ｂは、後覆い部３０Ａの下端部から後方に向かって延びて形成されている。後壁３０は、下面部３０Ｂと、この下面部３０Ｂの延伸方向に略直交する方向である上下方向に延伸する後覆い部３０Ａと、が一体に形成された断面略Ｌ字形状をなしている。下面部３０Ｂは、後覆い部３０Ａの左右両端部の下部が切り欠かれていることから、正面視において、左右方向の中央部が左右の端部よりも下方に突出する形態の段差状に形成されている。このように形成された下面部３０Ｂの左右両端部の下部の空間は、鏡アセンブリ１において、扉開閉用のヒンジが収納される空間、及び扉開閉時に手が挿入される空間とされる。
【００２７】
また、図４及び図５に示すように、後壁３０には貫通孔３１が形成されている。貫通孔３１は、後覆い部３０Ａを前後に貫通する形態で、後覆い部３０Ａの下部に形成されている。貫通孔３１は、延出部４Ｂの開口部４Ｃに対応して２か所に形成されている。貫通孔３１には貫通部材４０が挿入される。本実施例の場合、貫通部材４０はタッピングビスであり、貫通孔３１は、このタッピングビスが螺合により挿通されるざぐり孔である。タッピングビスは先端の尖った所謂１種ねじを採用している。貫通部材４０は、後壁３０の後方から貫通孔３１に挿通されるとともに、延出部４Ｂに形成された開口部４Ｃにおいて延出部４Ｂを貫通する。また、貫通部材４０は、延出部４Ｂの外縁方向である下方に向かって延出部４Ｂを押圧しつつ、延出部４Ｂを前後方向に貫通する。
【００２８】
次に、上記構成の鏡アセンブリ１の作用について説明する。
図７に示すように、連結部材１０を鏡２に取り付ける際には、まず、連結部材１０の前壁２０の前覆い部２１と、後壁３０の後覆い部３０Ａと、の間の空間Ｓに鏡２を挿入する。そして、鏡２の前面側の外縁部に形成された傾斜面部３Ａを当接部２３に当接させるとともに、裏板４の延出部４Ｂを後覆い部３０Ａと縁覆い部２２との間の隙間Ｇに挿入する。これにより、鏡本体３の傾斜面部３Ａを当接面２３Ａに載置する。この状態において、鏡２の下部は、前面側の外縁部である傾斜面部３Ａにおいて当接部２３に当接しているが、他の部位は、前覆い部２１にも縁覆い部２２にも当接していない状態とされる。
なお、上述のように、前覆い部２１と後覆い部３０Ａの間の空間Ｓの前後方向の幅は、鏡２の厚さよりも僅かに大きく設定されており、縁覆い部２２と後覆い部３０Ａとの間の隙間Ｇは、裏板４の板厚よりも大きく設定されている。このため、鏡２を容易に挿入可能である。
【００２９】
空間Ｓに挿入された鏡２には、当接部２３の当接面２３Ａが下方に向かって後方に傾斜する形態で形成されており、この当接部２３に傾斜面部３Ａが当接していることによって、連結部材１０に対して後方に滑り込むように相対移動しようとする力が作用している。これにより、図８に示すように、鏡２の端部２Ａは空間Ｓ内の後方寄りに配置され、前覆い部２１の覆い面２１Ａと鏡２の前面との間には隙間が形成される。
【００３０】
また、図７に示す状態、すなわち、鏡２を空間Ｓに挿入して貫通部材４０を取り付ける前の状態においては、延出部４Ｂに形成された開口部４Ｃは、後壁３０に形成された貫通孔３１よりも上方に位置するように形成されている。なお、この状態において、貫通孔３１の中心軸Ｃは、開口部４Ｃの下側の内壁面よりも僅かに下方に位置するように設定されている。
【００３１】
そして、図９に示すように、貫通部材４０を後壁３０の後方から貫通孔３１に挿入するとともに、開口部４Ｃにおいて延出部４Ｂを貫通させる。この時、貫通孔３１の中心軸Ｃが開口部４Ｃの下側の内壁面よりも僅かに下方に位置していることから、タッピングビスである貫通部材４０は、貫通孔３１に螺合することにより、その中心軸が開口部４Ｃよりも僅かに下方に位置する形態で延出部４Ｂを穿孔する。また、延出部４Ｂを穿孔する貫通部材４０は、その過程で、穿孔によって形成した孔を次第に拡開し、この孔と開口部４Ｃとの境界部を破断して孔と開口部４Ｃとを連結させる。これにより、貫通部材４０は、上側の面の一部が開口部４Ｃ側に露出した状態となり、穿孔により生じた応力を下方に向けて作用させる。すなわち、貫通部材４０は、上側の面の一部は延出部４Ｂに接触することなく開口部４Ｃ内に露出し、下側の面が延出部４Ｂに接触して下方に押圧した状態とされている。このため、延出部４Ｂには下方に押圧される力が作用する。
【００３２】
そして、貫通部材４０が延出部４Ｂを前後方向に貫通して延出部４Ｂを下方に押圧していることにより、鏡２の端部２Ａには、当接部２３の当接面２３Ａとの当接部位である傾斜面部３Ａを中心に回動しようとするモーメントが作用し、鏡２の後面を後壁３０の後覆い部３０Ａの前面に押し付ける力が作用する。これにより、鏡２は、その前面と前壁２０の前覆い部２１との間に隙間が形成された状態で、連結部材１０に強固に固定される。
【００３３】
以上のように、実施例１の連結部材１０は、鏡２の端部２Ａ，２Ｂに設けられて鏡２を収納棚に連結する部材である。連結部材１０は、鏡２の前面を覆う前壁２０と、鏡２の後面を覆うとともに、前壁２０との間に鏡２の端部２Ａ，２Ｂが配される空間Ｓが形成された後壁３０と、を備えている。前壁２０は、空間Ｓに鏡２の端部２Ａ，２Ｂが配された状態で鏡２の前面側の外縁部である傾斜面部３Ａが当接する当接部２３を有している。そして、当接部２３は、前壁２０の鏡２の中心側に対応する端部２０Ａから鏡２の外縁側に対応する端部２０Ｂ側に離間して形成されている。
【００３４】
連結部材１０は、鏡２の端部２Ａ，２Ｂが前壁２０と後壁３０の間の空間Ｓに配された状態において、鏡２の前面側の外縁部である傾斜面部３Ａに当接する当接部２３が設けられている。このため、連結部材１０が鏡２の端部２Ａ，２Ｂに配されたときには、前壁２０の後部では、当接部２３のみで鏡２と接触する構成とすることができる。そして、この当接部２３は、前壁２０の鏡２の中心側に対応する端部２０Ａから鏡２の外縁側に対応する端部２０Ｂ側に離間した位置に形成されている。このため、鏡２との境界となる前壁２０の端部２０Ａでは、前覆い部２１の覆い面２１Ａが鏡２と接触していない状態となる。このように、連結部材１０は、鏡２に覆い面２１Ａが接触しないことから、前壁２０の端部２０Ａ側では光の明暗のムラが発生しない。また、鏡２との接触部位である当接部２３が端部２０Ａから端部２０Ｂ側に離間した位置に形成されていることから、たとえ当接部２３において明暗のムラが発生したとしても視界に入り難く、美観を保つことができる。
【００３５】
したがって、実施例１の連結部材１０は、簡易な構成により、明暗のムラの発生を抑制して美観の低下防止を図ることができる。
【００３６】
また、当接部２３は、前壁２０の端部２０Ａから端部２０Ｂ側に向かって後方に傾斜して形成されている。このため、連結部材１０には、相対的に鏡２を後方に移動させる方向の力が作用する。これにより、前壁２０の後面と鏡２の前面との間に隙間を容易且つ確実に形成することができる。
【００３７】
また、当接部２３は、前壁２０の後面である前覆い部２１の覆い面２１Ａから後方側に突出する凸状に形成されている。このため、当接部２３によって鏡２を後壁３０側に確実に配置して前壁２０の後面と鏡２の前面との間に確実に隙間を形成することができる。
【００３８】
また、実施例１の鏡アセンブリ１は、鏡２と、この鏡２の端部２Ａ，２Ｂに設けられて収納棚に鏡２を連結する連結部材１０とを備えている。連結部材１０は、鏡２の前面を覆う前壁２０、及び鏡２の後面を覆うとともに前壁２０との間に鏡２の端部２Ａ，２Ｂが配される空間Ｓが形成された後壁３０を有している。前壁２０は、鏡２の前面側の外縁部が当接する当接部２３を具備している。また、鏡２の前面側の外縁部には傾斜面部３Ａが形成されている。そして、当接部２３は、前壁２０の鏡２の中心側に対応する端部２０Ａから鏡２の外縁側に対応する端部２０Ｂ側に向かって後方に傾斜する形態で形成されており、傾斜面部３Ａは、鏡２の外縁側に向かって後方に傾斜する形態で形成されている。
【００３９】
鏡アセンブリ１は、連結部材１０には、鏡２の前面側の外縁部である傾斜面部３Ａに当接する当接部２３が設けられている。このため、前壁２０の後部では、当接部２３のみで鏡２と接触する。そして、この当接部２３は、鏡２との境界となる前壁２０の鏡２の中心側に対応する端部２０Ａから、鏡２の外縁側に対応する端部２０Ｂ側に離間した位置に形成されている。このため、鏡２との見切り部位となる一方の端部２０Ａでは、鏡２に接触しないことからムラが発生せず、また、鏡２との接触部位である当接部２３が端部２０Ａから離間した位置に形成されていることから、当接部２３においてたとえ明暗のムラが発生したとしても正面からは視認し難い。また、鏡２と連結部材１０との接触部位となる傾斜面部３Ａ及び当接部２３の当接面２３Ａが夫々後方に傾斜して形成されているので、鏡２と連結部材１０との間には、相対的に鏡２を後方に移動させる方向の力が好適に作用する。これにより、前壁２０の後面と鏡２の前面との間に隙間を容易且つ確実に形成することができる。
【００４０】
したがって、実施例１の鏡アセンブリ１は、簡易な構成により、明暗のムラの発生を抑制して美観の低下防止を図ることができる。
【００４１】
本発明は上記記述及び図面によって説明した実施例１に限定されるものではなく、例えば次のような実施例も本発明の技術的範囲に含まれる。
（１）実施例１では、２つの貫通部材を設ける形態を例示したが、貫通部材を備える場合には、その個数や配設位置等は特に限定されない。また、上記実施例のように貫通部材により延出部を外縁方向に押圧する場合、その形態は特に限定されない。また、前後に貫通する貫通部材を用いることなく、鏡に対して直接的に外縁方向に押圧する力を作用させる形態を採用してもよい。
（２）実施例１では、貫通部材によって鏡の連結部材からの抜け止めを行う形態を例示したが、貫通部材以外の他の部材を設けて抜け止めを行ってもよい。
（３）実施例１では、当接部と鏡の前面側の外縁部との両方が後方に傾斜する形態を例示したが、これは必須ではない。当接部及び鏡の前面側の外縁部は、例えば、図１０に示すように、当接部２３のみが後方に傾斜する形態や、図１１に示すように、鏡の前面側の外縁部のみが後方に傾斜する形態であってもよい。
（４）実施例１では、鏡の前面側の外縁部である傾斜面部において当接部に当接する形態を例示したが、これは必須ではなく、例えば、図１２に示すように、鏡の前面側の外縁部として、鏡の外縁部の前面が当接部の後面に当接する形態であってもよい。また、この場合には、鏡の前面側の外縁部及び当接部の少なくとも一方が、後方に傾斜している形態であることが好ましい。このような傾斜により鏡を挿入する際に鏡を後方に滑り込ませることができるので、当接部の後面と後壁の前面との間に鏡を確実に配置することができ、鏡の前面と前壁の後面との間に確実に隙間を形成することができるからである。
（５）実施例１では、当接部及び鏡の前面側の外縁部が後方に傾斜する形態を例示したが、傾斜する形態のみならず、例えば、図１３に示すように、鏡の外縁側に対応する方向に向かって後方に凹状に湾曲する形態であってもよいし、凸状に湾曲する形態であってもよい。
（６）また、実施例１では、前覆い部の覆い面を、鏡の前面に略平行な面としたが、これは必須ではない。例えば、図１４に示すように、前壁の上端部、すなわち鏡の中心側に対応する一方の端部から、前壁の下端部、すなわち鏡の外縁側に対応する他方の端部に向かって、後方に湾曲する覆い面２２１Ａとしてもよい。また、下方に向かって後方に傾斜して形成された覆い面としてもよい。
（７）実施例１では、延出部が裏板の上下方向に延出して設けられている形態を例示したが、左右方向に延出していてもよい。
（８）実施例１では、連結部材が鏡と、所定の取付部としての収納棚とを連結するとともに、鏡アセンブリが収納棚の扉として用いられる形態を例示したが、連結部材は、壁面等の他の形態の取付部と鏡とを連結するものであってもよい。
【符号の説明】
【００４２】
１…鏡アセンブリ
２…鏡
２Ａ，２Ｂ…鏡の端部
１０…連結部材
２０…前壁
２０Ａ，２０Ｂ…前壁の端部、
２３…当接部
３０…後壁
Ｓ…空間
【図１】
2019141273.tif 000003
【図２】
2019141273.tif 000004
【図３】
2019141273.tif 000005
【図４】
2019141273.tif 000006
【図５】
2019141273.tif 000007
【図６】
2019141273.tif 000008
【図７】
2019141273.tif 000009
【図８】
2019141273.tif 000010
【図９】
2019141273.tif 000011
【図１０】
2019141273.tif 000012
【図１１】
2019141273.tif 000013
【図１２】
2019141273.tif 000014
【図１３】
2019141273.tif 000015
【図１４】
2019141273.tif 000016